(57)【特許請求の範囲】
【請求項１】
凹部を有するハウジングと、
前記ハウジングにヒンジを介して連結されたアーム部を有し、前記ヒンジを中心とする回転動作により前記凹部の開口を開閉する開閉体と、
前記開閉体を前記凹部の開口を閉塞する閉位置でロックするロック装置と、を備えるハウジングユニットであって、
前記ロック装置は、
前記アーム部に臨むロック片と、
前記ロック片を前記アーム部に向けて進退移動させる駆動源と、
前記アーム部に設けられた、前記開閉体が閉位置にあるときに前記ロック片を嵌め入れ可能なロック孔を有するロック片嵌合部と、
前記アーム部に設けられた、前記開閉体が閉位置以外の開位置にあるときに前記ロック片の進行方向への移動を規制するロック規制部と、を備える
ことを特徴とするハウジングユニット。
【請求項２】
請求項１に記載されたハウジングユニットにおいて、
前記ハウジングの外周には、前記アーム部が収容されるアーム収容部が前記凹部から側方に張り出して設けられ、
前記ヒンジは、前記アーム収容部に設けられ、該アーム収容部の張り出し方向と交差する方向に延びる枢支軸を有し、
前記駆動源及び前記ロック片は、前記枢支軸の軸方向における一方側で前記アーム収容部及び前記凹部と隣接する位置に配置されている
ことを特徴とするハウジングユニット。
【請求項３】
請求項２に記載されたハウジングユニットにおいて、
前記ロック片は、前記ヒンジの枢支軸に沿う方向に進退可能な姿勢で設けられ、
前記アーム部のうち前記駆動源側に位置する部分には、当該アーム部の長手方向に延び、且つ前記ロック片の後退方向に臨む平面部が設けられ、
前記平面部は、前記ロック孔を有し、前記ロック片嵌合部及び前記ロック規制部を構成している
ことを特徴とするハウジングユニット。
【請求項４】
凹部を有する車体にヒンジを介して連結されたアーム部を有し、前記ヒンジを中心とする回転動作により前記凹部の開口を開閉する開閉体を、前記凹部の開口を閉塞する閉位置でロックするロック装置であって、
前記アーム部に臨むロック片と、
前記ロック片を前記アーム部に向けて進退移動させる駆動源と、
前記アーム部に設けられた、前記開閉体が閉位置にあるときに前記ロック片を嵌め入れ可能なロック孔を有するロック片嵌合部と、
前記アーム部に設けられた、前記開閉体が閉位置以外の開位置にあるときに前記ロック片の進行方向への移動を規制するロック規制部と、を備える
ことを特徴とする開閉体のロック装置。
【請求項５】
請求項４に記載された開閉体のロック装置において、
前記ロック片は、前記アーム部の幅方向における一方側に、前記ヒンジの枢支軸に沿う方向に進退可能な姿勢で設けられ、
前記アーム部には、当該アーム部の長手方向に延び、且つ前記ロック片の後退方向に臨む平面部が設けられ、
前記平面部は、前記ロック孔を有し、前記ロック片嵌合部及び前記ロック規制部を構成している
ことを特徴とする開閉体のロック装置。
【発明の詳細な説明】
【技術分野】
【０００１】
本発明は、自動車の給油口などを収容するハウジングユニット及び開閉体のロック装置に関する。
【背景技術】
【０００２】
一般に、自動車の給油口は、車体のリヤフェンダ部で車体内方へ凹む凹部内に設けられ、燃料を補給する際にその凹部の開口を閉塞する開閉体、いわゆるフューエルリッドを開くことで外部に露出される。この給油口を開閉するリッドは、凹部の側方位置にあるヒンジに連結されたアーム部を有し、その開き動作に伴ってアーム部が凹部の開口から外方に延び出るほどに当該開口から離れるようになっており、給油口に給油ガンを差し込むための作業空間が確保される構造となっていることが多い。
【０００３】
この種のリッドには、不正な開操作を防止することを目的にロック装置が設けられている。このようなロック装置は、例えば特許文献１に開示されている。特許文献１に開示されたロック装置は、アーム部の幅方向における側方位置に配置されたロック片を駆動源（アクチュエータ）によってアーム部に向けて進退させる機能を有し、駆動源によって進行方向へ移動させたロック片（ロックロッド）をアーム部の側面に開口したロック孔に嵌め込むことにより、リッドの回転動作を規制するようになっている。
【０００４】
また、そうしたロック装置の制御としては、所定の運転条件や車両操作によってリッドのロック状態を自動的に切り替えることが知られている。このようなロック装置の制御例は、特許文献２に開示されている。特許文献２に開示されたロック装置の制御では、自動車のドアがロック状態に切り替わるのと同時にリッドをロック状態に切り替え、ドアがアンロック状態に切り替わるのと同時にリッドもアンロック状態に切り替えるようにしている。
【先行技術文献】
【特許文献】
【０００５】
【特許文献１】特開２０１３−００１３８４号公報
【特許文献２】特開２０１４−１５９６７３号公報
【発明の概要】
【発明が解決しようとする課題】
【０００６】
特許文献１に開示のロック装置では、リッドが開いたままの状態で上述したような自動的な切替え動作が行われ、意図せずロック片が進行方向に移動してロック状態へ移行されると、ロック片がロック孔から外れた位置で進行移動して、アーム部の背面側に突き出してしまう。そうなると、リッドを閉めようとしても、アーム部がロック片に閊えるためにリッドを閉めることができなくなる。また、ロック片が突き出た状態にあることは外見では判断できないため、それを知らずにリッドを閉めようとして、アーム部やロック片が破損するおそれがある。
【０００７】
本発明は、斯かる点に鑑みてなされたものであり、その目的とするところは、開閉体が開いた状態にあるときにロック片が進行方向に移動しても開閉体が閉まらなくなることを防止することにある。
【課題を解決するための手段】
【０００８】
上記の目的を達成するために、本発明は、開閉体が開いているときのロック片の進行方向への移動を規制するようにした。
【０００９】
具体的には、本発明は、ロック機能を有した開閉体付きのハウジングユニットと開閉体のロック装置とを対象とし、以下の解決手段を講じたものである。
【００１０】
すなわち、第１の発明は、ハウジングユニットであって、凹部を有するハウジングと、このハウジングにヒンジを介して連結されたアーム部を有し、ヒンジを中心とする回転動作により凹部の開口を開閉する開閉体と、この開閉体を凹部の開口を閉塞する閉位置でロックするロック装置とを備える。そして、第１の発明は、ロック装置が、アーム部に臨むロック片と、このロック片をアーム部に向けて進退移動させる駆動源と、アーム部に設けられた、開閉体が閉位置にあるときにロック片を嵌め入れ可能なロック孔を有するロック片嵌合部と、アーム部に設けられた、開閉体が閉位置以外の開位置にあるときにロック片の進行方向への移動を規制するロック規制部とを備えることを特徴とする。
【００１１】
第２の発明は、第１の発明のハウジングユニットにおいて、ハウジングの外周に、アーム部が収容されるアーム収容部が凹部から側方に張り出して設けられた構成を有する。ヒンジは、アーム収容部に設けられ、アーム収容部の張り出し方向と交差する方向に延びる枢支軸を有する。そして、第２の発明は、駆動源及びロック片が、枢支軸の軸方向における一方側でアーム収容部及び凹部と隣接する位置に配置されていることを特徴とする。
【００１２】
第３の発明は、第２の発明のハウジングユニットにおいて、ロック片が、ヒンジの枢支軸に沿う方向に進退可能な姿勢で設けられた構成を有する。アーム部のうち駆動源側に位置する部分には、当該アーム部の長手方向に延び、且つロック片の後退方向に臨む平面部が設けられている。そして、第３の発明は、その平面部が、ロック孔を有し、ロック片嵌合部及びロック規制部を構成していることを特徴とする。
【００１３】
第４の発明は、開閉体のロック装置であって、凹部を有する車体にヒンジを介して連結されたアーム部を有し、ヒンジを中心とする回転動作により凹部の開口を開閉する開閉体を、凹部の開口を閉塞する閉位置でロックする機能を有する。そして、第４の発明は、アーム部に臨むロック片と、このロック片をアーム部に向けて進退移動させる駆動源と、アーム部に設けられた、開閉体が閉位置にあるときにロック片を嵌め入れ可能なロック孔を有するロック片嵌合部と、アーム部に設けられた、開閉体が閉位置以外の開位置にあるときにロック片の進行方向への移動を規制するロック規制部とを備えることを特徴とする。
【００１４】
第５の発明は、第４の発明の開閉体のロック装置において、ロック片が、アーム部の幅方向における一方側に、ヒンジの枢支軸に沿う方向に進退可能な姿勢で設けられた構成を有する。アーム部には、当該アーム部の長手方向に延び、且つロック片の後退方向に臨む平面部が設けられている。そして、第５の発明は、その平面部が、ロック孔を有し、ロック片嵌合部及びロック規制部を構成していることを特徴とする。
【発明の効果】
【００１５】
第１の発明によれば、開閉体が開いた状態にあるときに意図せずロック片が進行方向へ移動してもそのロック片の移動はロック規制部によって規制されるので、ロック片がアーム部の背面側に突き出ることを防止できる。それによって、アーム部がロック片に閊えて開閉体が閉まらなくなる事態に陥ることを回避でき、開閉体の閉じ動作でアーム部やロック片が破損することもない。
【００１６】
また、第１の発明に係るハウジングユニットは、ハウジングと開閉体とロック装置とが組み立てられた組立て品であるので、ハウジングに代えて車体に設けられた凹部に開閉体及びロック装置を組み付ける場合に比べて、車体への組付け作業が容易である。
【００１７】
第２の発明によれば、アーム収容部が凹部から側方に張り出しているため、ヒンジの枢支軸の軸方向における一方側でアーム収容部及び凹部と隣接する位置にはスペースが形成されるが、そのスペースに駆動源及びロック片を配置するようにしたので、ハウジング、開閉体、駆動源及びロック片をコンパクトにまとめてハウジングユニットを小型化することができる。
【００１８】
第３の発明によれば、ロック片嵌合部及びロック規制部の両方をアーム部に設けられた平面部によって構成するようにしたので、第２の発明に係るハウジングユニットを簡単な構造で実現することができる。
【００１９】
また、第３の発明によれば、ロック片がロック片嵌合部及びロック規制部と近接した位置に設けられるので、ロック片嵌合部のロック孔に嵌め入れるために必要なロック片の進行方向への移動ストロークを縮めることができる。それにより、ロック片自体の長さを短くすることができるので、ハウジングユニットの小型化によりいっそう寄与することができる。
【００２０】
第４の発明によれば、第１の発明のロック装置と同じ構成を備えるので、第１の発明と同じ作用効果が得られて、開閉体が開いた状態にあるときにロック片が進行方向に移動しても、開閉体が閉まらなくなることと、開閉体の閉動作でアーム部やロック片が破損することとを防止できる。
【００２１】
第５の発明によれば、ロック片嵌合部及びロック規制部の両方をアーム部に設けられた平面部によって構成するようにしたので、第４の発明に係るロック装置を簡単な構造で実現することができる。
【図面の簡単な説明】
【００２２】
【図１】実施形態に係るフューエルフィラーボックスアセンブリのリッド閉状態での全体斜視図である。
【図２】実施形態に係るフューエルフィラーボックスアセンブリのリッド開状態での全体斜視図である。
【図３】実施形態に係るフューエルフィラーボックスアセンブリの側面図である。
【図４】図１のIV−IV線におけるフューエルフィラーボックスアセンブリの断面図である。
【図５】実施形態に係るフューエルフィラーボックスアセンブリでのリッドの全開状態と開閉補助動作を切り替える分岐位置とを示す図３相当図である。
【図６】実施形態に係るフューエルフィラーボックスアセンブリのリッド開位置でのロック規制状態を示す図４相当図である。
【図７】その他の実施形態に係るロック装置を備えた燃料供給部のリッド開状態での全体斜視図である。
【発明を実施するための形態】
【００２３】
以下、例示的な実施形態を図面に基づいて詳細に説明する。なお、以下の実施形態では、便宜上、車両前後方向における前側を「前」、後側を「後」と称し、車両前方を向いて車幅方向における左側を「左」、右側を「右」と称し、車高方向における上側を「上」、下側を「下」と称する。
【００２４】
この実施形態では、本発明に係るハウジングユニット及びそのロック装置について、自動車の車体左側のリヤフェンダ部に取り付けられる、ロック機能を有したリッド付きのフューエルフィラーボックスアセンブリ（以下、単に「ボックスアセンブリ」と称する）を例に挙げて説明する。ボックスアセンブリは、自動車に搭載の燃料タンクに連通接続されたフューエルパイプの給油口を収容し、自動車の燃料供給部を構成する部品である。
【００２５】
−ボックスアセンブリの構成−
図１に、このボックスアセンブリ１のリッド５を閉じた状態での全体斜視図を示す。図２に、このボックスアセンブリ１のリッド５を開いた状態での全体斜視図を示す。図３に、このボックスアセンブリ１の側面図を示す。また、図４に、図１のIV−IV線におけるボックスアセンブリ１の断面図を示す。なお、図１では、リッド５をロックした状態を示しており、便宜上、そのリッド５を構成するアウタ部材４１の図示を２点鎖線で表した外縁形状のみとして省略し、リッド５の内部構造を部分的に図示している。
【００２６】
ボックスアセンブリ１は、図１〜図４に示すように、ハウジングとしてのインレットボックス３と、インレットボックス３の開口を開閉する開閉体としてのフューエルリッド（以下、単に「リッド」と称する）５と、リッド５の開閉動作を補助する開閉補助機構７と、リッド５をインレットボックス３の開口を閉塞した閉位置でロックするロック装置９とを備え、これらが一体に組み合わせられてモジュール化された組立て品である。こうしたボックスアセンブリ１は、予め組み立てられるため、車体への組み付け作業が比較的容易である。
【００２７】
＜インレットボックスの構成＞
インレットボックス３は、射出成形などで成形される樹脂成形品であって、例えばポリプロピレン（ＰＰ：Polypropylene）やそれにガラス繊維や炭素繊維などの繊維補強材を含有した熱可塑性樹脂からなる。このインレットボックス３は、概略円形カップ状に形成された凹部１１と、凹部１１から前側方に張り出したアーム収容部１３とを有する。これら凹部１１及びアーム収容部１３の両内部空間は、インレットボックス３内の空間として繋がっている。
【００２８】
凹部１１の底壁１５には、フューエルパイプの給油口部が挿通されるパイプ孔１７が設けられている。このパイプ孔１７の周縁には、フューエルパイプとの間を密閉するゴム製のグロメット１９が設けられている。また、凹部１１の開口は、円形の一部を直角に切り欠いたような形状とされている。この開口の切欠き形状は、アーム収容部１３の直ぐ上側に位置している。凹部１１の開口周縁には、当該開口の外側方に突出したフランジ部２１が全周に亘って設けられている。
【００２９】
フランジ部２１は、その周方向に所定の間隔をあけて形成された複数の貫通孔２３を有する。このフランジ部２１の裏面、つまり車内側に臨む面には、水密性を有するゴム製のシール部２５が一体に設けられている。ボックスアセンブリ１は、自動車のリヤフェンダ部に形成された開口の段落ちした周縁にシール部２５を密着させた状態で、フランジ部２１周縁に設けられた図示しない係合爪を当該開口の周縁部分に係合させることにより、当該リヤフェンダ部に取り付けられる。
【００３０】
シール部２５は、各貫通孔２３を通してフランジ部２１の表面側、つまり車外側に突出する突起２７を有する。この突起２７は、リッド５の閉位置でその裏面（後述するリッド本体３５の裏面）に対向し、リッド５が閉じ動作において凹部１１の開口周縁に当接する際の衝撃を吸収する緩衝用に設けられている。このようなシール部２５は、例えば、インレットボックス３の成形時に２色成形によって併せて成形される。
【００３１】
また、凹部１１のうち開口の切欠き形状に対応する部分には、当該凹部１１の周壁が内方へ突出し且つ外側が凹んだ縦断面Ｌ字状の駆動源搭載部２９が設けられている。この駆動源搭載部２９の下壁のうち左端寄りの部分、つまり車外側の部分には、後述するロック片６５が挿通される挿通孔３０が形成されている。
【００３２】
また、アーム収容部１３の内部には、リッド５を開閉可能に支持するヒンジ３３が設けられている。ヒンジ３３は、アーム収容部１３の張り出し端寄りで左側（車外側）の隅に位置しており、上下方向に延びる枢支軸をなす支持ピン３１を有する。この支持ピン３１の両端部は、アーム収容部１３の上下両側の壁部に形成された図示しないピン孔に挿通されて回転自在に支持されている。
【００３３】
＜リッドの構成＞
リッド５は、フランジ部２１の外径よりも一回り大きな円形状の外形を有するリッド本体３５と、リッド本体３５の一端部、具体的にはリッド５が閉位置にあるときに前側に位置する端部の裏面から前側方へ延びるアーム部３７とを有する。このリッド５は、車内側に位置するインナ部材３９と、車外側に位置するアウタ部材４１とを組み合わせてなり、両部材３９，４１の間に内部空間を有する。
【００３４】
インナ部材３９及びアウタ部材４１は共に、射出成形などで成形される樹脂成形品であって、例えばインレットボックス３と同じ熱可塑性樹脂からなる。インナ部材３９は、リッド本体３５の内側半体とアーム部３７を構成している。アウタ部材４１は、リッド本体３５の外側半体を構成している。アウタ部材４１の外周縁部のうちアーム部３７とは反対側の部分、つまり後方側に位置する部分には、車外側に突出した把手部４２が設けられている。
【００３５】
インナ部材３９のうちリッド本体３５を構成するインナ本体部の外周縁には、アウタ部材４１側に立ち上がった外周板部５６が設けられている。また、インナ本体部の内部空間側の面には、リッド５の回転径方向（閉位置では前後方向）に間隔をあけて対峙する一対の爪片４３が上下両側に一組ずつ設けられている。アウタ部材４１のうち各爪片４３に対応する部分の内部空間側の面には、断面Ｌ字状の係合片４５が設けられている。アウタ部材４１は、それら各係合片４５を対応する爪片４３に係合させることによりインナ部材３９に取り付けられている。
【００３６】
アーム部３７は、概略Ｕ字形状やスワンネック形状をなしていて、アーム収容部１３内でヒンジ３３に接続され、ヒンジ３３を介してインレットボックス３に連結されている。このアーム部３７は、リッド本体３５からその裏側に向けて張り出した凸面をなす湾曲部４７と、この湾曲部４７の先端部分からリッド本体３５の側方位置に向けて延びる折返し部４９とを有する。
【００３７】
折返し部４９の先端部分には、アーム部３７の幅方向に貫通したピン孔５１が形成されている。このピン孔５１には、支持ピン３１が締り嵌め状態に挿通されている。アーム部３７は、そのピン孔５１を通した支持ピン３１に固定されており、ヒンジ３３を介してアーム収容部１３に回転自在に連結されている。
【００３８】
湾曲部４７は、ピン孔５１又はその付近を中心とする円周に沿った概略円弧状に形成されている。この湾曲部４７は、アーム部３７の本体をなすベース板部５２と、このベース板部５２の上下両端に設けられた一対の側板部５３，５５とを有する。一対の側板部５３，５５は、アーム部３７の長手方向に延びており、外周板部５６と一繋ぎに形成されている。
【００３９】
これら一対の側板部５３，５５のうち上側に位置する側板部５３（後述する駆動源６７側に位置する側板部５３）は、上面が平坦な面に形成された平面部である。この上側の側板部５３のうちアーム部３７の基端側の部分には、上下方向に貫通するロック孔５７が形成されている。このロック孔５７は、ベース板部５２とは反対側に開放された切欠きであって、ロック装置９の一部（後述のロック片嵌合部６９）を構成している。
【００４０】
リッド本体３５は、ヒンジ３３を中心とする回転動作により凹部１１の開口を開閉する。インナ部材３９のうちリッド本体３５を構成する部分は、リッド５が閉位置にあるときに凹部１１の開口内に位置する。アウタ部材４１は、リッド５が閉位置にあるときに凹部１１の外側でその開口を覆う。このアウタ部材４１の表面、つまりリッド本体３５の外面には、自動車の外装と同じ色の塗装が施されている。
【００４１】
＜開閉補助機構の構成＞
開閉補助機構７は、カム形状のカム駒５９と、トーションばね６１とによって構成されている。カム駒５９は、アーム収容部１３の下側でヒンジ３３に対応する部分に配置されている。カム駒５９のベース円の中心部分は、アーム収容部１３のピン孔から下方に突出した支持ピン３１の端部に固定されている。それにより、カム駒５９は、支持ピン３１の回転動作、つまりはリッド５の開閉動作に連動して回転し、ベース円から突出するトップ部５９ａの位置が変位するようになっている。
【００４２】
トーションばね６１は、上記カム駒５９と、アーム収容部１３の下面に設けられた円柱形の支持突片６３との間に装着されている。具体的には、トーションスプリング６１の一端部は、カム駒５９のトップ部５９ａに揺動自在に取り付けられている。また、トーションばね６１の他端部は、円弧状に形成された支承部６１ａを有しており、支持突片６３に対し、その支承部６１ａを嵌合させて当該支持突片６３の周方向に揺動自在に支持されている。
【００４３】
図５に、ボックスアセンブリ１でのリッド５の全開状態と開閉補助機構７が補助動作を切り替える分岐位置（二点鎖線で示す位置）とを表した図３相当図を示す。開閉補助機構７では、図５に示すように、補助する動作が当該リッド５の回転方向における位置に応じて開き動作と閉じ動作とのいずれかに切り替わる。
【００４４】
すなわち、リッド５が所定の位置（図５に二点鎖線で示す位置）よりも閉じ側の位置にあるときは、トーションばね６１の付勢力によってカム駒５９が下面視で時計回りの方向に付勢される。それにより、リッド５が閉じ方向Ｄ１に回転されて、リッド５の閉じ動作が補助される。また、リッド５が所定の位置よりも開き側の位置にあるときには、トーションばね６１の付勢力によってカム駒５９が下面視で反時計回りの方向に付勢される。それにより、リッド５が開き方向Ｄ２に回転されて、リッド５の開き動作が補助される。
【００４５】
＜ロック装置の構成＞
ロック装置９は、アーム部３７に臨むロック片６５と、ロック片６５をアーム部３７に向けて進退移動させる駆動源６７と、進行方向へ移動したロック片６５と嵌合されるロック片嵌合部６９と、ロック片６５の進行方向への移動を規制するロック規制部７１とを備える。
【００４６】
ロック片６５及び駆動源６７は、インレットボックス３に設けられた駆動源搭載部２９の凹所に一体に搭載されて、支持ピン３１の軸方向における一方側であり、アーム部３７の幅方向における一方側でもあるアーム収容部１３の上側で当該アーム収容部１３及び凹部１１と隣接する位置に配置されている。こうして、アーム収容部１３及び凹部１１に隣接する位置に形成されるスペースを駆動源６７の搭載部分として利用すれば、ボックスアセンブリ１の小型化を図ることができる。
【００４７】
ロック片６５は、駆動源６７に対し進退動作によって当該駆動源６７のケースから出没可能に組み付けられている。このロック片６５は、駆動源搭載部２９の挿通孔３０に対応する箇所に支持ピン３１に沿う方向に進退可能な姿勢で設けられており、リッド５が閉位置にあるときにその挿通孔３０と通してロック孔５７と対応する。
【００４８】
駆動源６７は、詳細な図示は省略するが、自動車の制御装置から出力される制御信号に応じてロック片６５を進退移動させ、ロック片６５の進行方向への移動が阻害された場合には無理に同方向への移動を行わせず、所定の付勢力でロック片６５を進行方向へ付勢する構成とされている。
【００４９】
こうした駆動源６７の構成としては、例えば、上記の制御信号に応じて駆動するモータと、モータの駆動によって回転される減速ギアと、減速ギアの回転によって進退方向にスライドするギア付きスライダと、ギア付きスライダの進退移動をロック片６５に伝達するコイルばね等の付勢部材とを備える構成が挙げられる。
【００５０】
ロック片嵌合部６９は、アーム部３７上側の側板部５３のうち上記ロック孔５７が形成された部分からなる。すなわち、ロック片嵌合部６９は、ロック孔５７及びその周縁部のことである。ロック孔５７は、アーム部３７の側板部５３を貫通した上述した通りの切欠きであって、ロック片６５を嵌め入れ可能なサイズに形成されており、リッド５が閉位置にあるときにのみロック片６５と対応する。
【００５１】
図６に、ボックスアセンブリ１でのリッド５が開位置にあるときのロック規制を説明するための図４相当図を示す。ロック規制部７１は、アーム部３７上側の側板部５３のうち上記ロック片６５を除く部分で構成されている。したがって、このロック規制部７１は、平板状に形成されていて、駆動源６７側に臨む平坦な上面を有する。このように、アーム部３７上側の側板部５３は、ロック片嵌合部６９及びロック規制部７１の両方を構成している。
【００５２】
ロック規制部７１は、図６に示すように、リッド５の開閉動作が行われると、ロック片６５の対応箇所を経由して移動されるようになっており、リッド５が閉位置以外の開位置にあるときにはロック片６５と常に対応する。換言すると、ロック片６５は、リッド５の回転域において、閉位置を除く全範囲でロック規制部７１と対応し、閉位置でのみロック孔５７と対応して進行方向への移動が全ストロークに亘って許容される。
【００５３】
−ボックスアセンブリのロック動作−
次に、上記構成のボックスアセンブリ１でのリッド５のロック動作について説明する。
【００５４】
ボックスアセンブリ１では、ロック片６５が後退した位置にあるとき、つまり駆動源６７のケース内に収納された状態にあるときには、リッド５がインレットボックス３に固定されていないアンロック状態である。このアンロック状態では、リッド５を自由に開け閉めすることができる。
【００５５】
また、ボックスアセンブリ１では、リッド５が閉じられた状態で、エンジンの制御装置からのロック状態への切り替えを指示する制御信号が駆動源６７に送られると、駆動源６７は、図１に示すように、ロック片６５を進行方向へ移動させてロック孔５７に嵌め込む。そうすると、ロック片６５がロック片嵌合部６９に掛け止められて、リッド５がインレットボックス３に固定されたロック状態となる。このロック状態では、リッド５を開け閉めすることができない。
【００５６】
また、ボックスアセンブリ１では、リッド５が開いた状態にあるときに意図せずロック片６５が進行方向へ移動した場合、そのロック片６５は、ロック規制部７１に突き当たって、それ以上の進行方向への移動が規制される。これによって、ロック片６５がアーム部３７の背面側に突き出るのを防止でき、アーム部３７がロック片６５に閊えてリッド５が閉まらなくなる事態に陥るのを回避できる。
【００５７】
この場合、ロック片６５は、ロック規制部７１の平坦な上面に対し所定の付勢力によって突き当たった状態とされる。この状態においても、ロック片６５をロック規制部７１に摺動させながら、リッド５を閉じることが可能である。そして、リッド５が閉位置にまで回転されると、その時点で、ロック片６５が所定の付勢力により進行方向に移動してロック孔５７に嵌まり込み、リッド５がロックされる。
【００５８】
−実施形態の効果−
この実施形態に係るボックスアセンブリ１によると、リッド５が開いた状態にあるときにロック片６５が進行方向に移動しても、リッド５が閉まらなくなる事態に陥ることを回避でき、リッド５の閉じ動作でアーム部３７とその背面側に突き出したロック片６５とが干渉し合って破損することもない。
【００５９】
《その他の実施形態》
図７に、車体のリヤフェンダ部１０１にリッド５を直接取り付けた態様の自動車の燃料供給部１０３を示す。なお、図７では、便宜上、上記実施形態のボックスアセンブリ１の構成に相当する部分には、同一の符号を付している。
【００６０】
上記実施形態では、リッド５がインレットボックス３とモジュール化されたボックスアセンブリ１を例に挙げて説明したが、本発明はこれに限らない。例えば、図７に示すように、車体のリヤフェンダ部１０１に凹部１１を有したインレットボックス３が一体に設けられ、この凹部１１の開口を開閉するリッド５がリヤフェンダ部１０１に直接取り付けられた構造において、リッド５をロックするロック装置９に対しても適用可能である。こうした構造に適用されるロック装置９は、少なくとも、上記実施形態と同様な構成を有するロック片６５、駆動源６７、ロック片嵌合部６９及びロック規制部７１を備える。
【００６１】
こうした形態によっても、上記実施形態と同様に、リッド５が開いた状態にあるときにロック片６５が進行方向に移動しても、リッド５が閉まらなくなったり、リッド５の閉じ動作でアーム部３７やロック片６５が破損したりすることを防止できる。
【００６２】
以上のように、本発明に係る技術の例示として、好ましい実施形態について説明した。しかし、ここに開示する技術は、これに限定されず、適宜、変更、置き換え、付加、省略などを行った実施の形態にも適用可能である。また、添付図面及び詳細な説明に記載された構成要素の中には、課題解決のためには必須でない構成要素も含まれ得る。そのため、それらの必須でない構成要素が添付図面や詳細な説明に記載されていることを以て、直ちにそれらの必須でない構成要素が必須であるとの認定をするべきではない。
【００６３】
例えば、上記実施形態について、以下のような構成としてもよい。
【００６４】
上記実施形態では、ロック片嵌合部６９のロック孔５７は切欠きからなるとしたが、これに限らない。切欠きはロック孔５７の一例に過ぎず、当該ロック孔５７は、ロック片６５を嵌め入れ可能なものであれば、円形や四角形等の貫通孔であってもよく、ロック片６５が対応する側に開口した凹部であっても構わない。
【００６５】
また、上記実施形態では、ロック片嵌合部６９及びロック規制部７１が共にアーム部３７上側の側板部５３によって構成されているとしたが、これに限らない。それらロック片嵌合部６９及びロック規制部７１は、リッド５の開閉動作においてアーム部３７と一体に回転移動するものであれば、アーム部３７とは別体の部材によって構成されていてもよい。
【００６６】
また、上記実施形態では、リッド５を構成するインナ部材３９とアウタ部材４１とが爪片４３と係合片４５との係合によって組み合わせられている構成を例に挙げて説明したが、これらインナ部材３９とアウタ部材４１とは、タッピングスクリュー等の締結具により組み合わせられて強固に固定されていてもよい。
【００６７】
また、上記実施形態では、本発明に係るハウジングユニット及び開閉体のロック装置について自動車の燃料供給部を構成するボックスアセンブリ１を例に挙げて説明したが、これに限らない。本発明は、電気自動車の給電口（充電口）を収容する給電部を構成するボックスアセンブリ及びそのリッドのロック装置にも適用することができるし、その他、凹部が設けられた被取付体に対し凹部開口を開閉する開閉体が取り付けられた構造体であれば適用可能である。
【産業上の利用可能性】
【００６８】
以上説明したように、本発明は、自動車の給油口や給電口などを収容するハウジングユニット及び開閉体のロック装置について有用である。
【符号の説明】
【００６９】
１…ボックスアセンブリ（ハウジングユニット）、
３…インレットボックス（ハウジング）、５…リッド（開閉体）、７…開閉補助機構、
９…ロック装置、１１…凹部、１３…アーム収容部、１５…底壁、１７…パイプ孔、
１９…グロメット、２１…フランジ部、２３…貫通孔、２５…シール部、
２７…突起、２９…駆動源搭載部、３０…挿通孔、３１…支持ピン（枢支軸）、
３３…ヒンジ、３５…リッド本体、３７…アーム部、３９…インナ部材、
４１…アウタ部材、４２…把手部、４３…爪片、４５…係合片、４７…湾曲部、
４９…折返し部、５１…ピン孔、５２…ベース板部、５３，５５…側板部、
５６…外周板部、５７…ロック孔、５９…カム駒、５９ａ…トップ部、
６１…トーションスプリング、６１ａ…支承部、６３…支持突片、６５…ロック片、
６７…駆動源、６９…ロック片嵌合部、７１…ロック規制部、
１０１…リヤフェンダ部（車体）、１０３…燃料供給部
【図１】
0006629101.tif 000002
【図２】
0006629101.tif 000003
【図３】
0006629101.tif 000004
【図４】
0006629101.tif 000005
【図５】
0006629101.tif 000006
【図６】
0006629101.tif 000007
【図７】
0006629101.tif 000008